(57)【要約】  【課題】  採光用天窓を構成する部材数を減少し、屋根板の端部を屋根の内部に位置し、強風などの影響を受けないようにして雨漏りを防止する。  【解決手段】  屋根構造材である梁部材１上に、台形状に形成した受基枠２０を一定間隔に向かい合わせに取付けた両受基枠２０の上部に、長尺で略クランク状をした取付枠３２を夫々向かい合わせに取付ける。前記受基枠２０の上面と前記取付枠３２の下面との間に、屋根板２５の一端に設けた平面板２７を圧着固定し、この圧着固定部の屋根内側に位置する前記屋根板の平面板２７に連続して設けた補強端部２８、２８ａと前記取付枠３２の一端とを接続する。前記取付枠３２の支持部片３３と採光板とをジッパー付ガスケット３８で連結してある。  【選択図】  図１
0003123775.tif 000002
【実用新案登録請求の範囲】
【請求項１】
屋根構造材である梁部材（１）上に、一定間隔に向かい合わせに取付ける略台形状に形成した受基枠（２０、２０）の上部に、略クランク状をした長尺な取付枠（３２）を夫々向かい合わせに取付け、
前記受基枠（２０）の上面と前記取付枠（３２）の下面との間に、屋根板（２５，２５ａ）の一端に設けた平面板（２７，２７ａ）を圧着固定し、
この圧着固定部の屋根内側に位置した前記平面板（２７，２７ａ）に連続して設けた補強端部（２８、２８ａ）と前記取付枠（３２）の一端とをそれぞれ接続し、
前記取付枠（３２）の上部に設けた支持部片（３３）に取付けたジッパー付ガスケット（３８）に、網入ガラス板又は合成樹脂板等からなる透明又は半透明の採光板（４０）を着脱可能に取付け、
前記採光板（４０）の隣接する各端部下面に夫々保護板（５０）を介して支持材（４１）を、前記取付枠（３２）の上部に夫々両端を固定して取付けた補強部材（４３）上に設けてなることを特徴とする採光用天窓付屋根装置。
【請求項２】
前記受基枠（２０）の上面と前記取付枠（３２）の下面との間に圧着固定される一方の屋根板（２５）の一端に連なる斜面部(２６)に連続し、且つ、前記受基枠の平坦面(２３)上に係止させて先端を立ち上がらせて連続して直角に折り曲げて略Ｃ字型をした補強端部（２８）の立上壁面（３０）と、前記取付枠（３２）の下部内側に設けた水受凹部（３５）の先端に有した立上部片（３６）との間を広く設け、前記補強端部の内側に配した該立上部片（３６）に、該補強端部の後部側に設けた垂下片（２９）を係止させてなることを特徴とする請求項１記載の採光用天窓付屋根装置。    
【請求項３】
前記受基枠（２０）の上面と前記取付枠（３２）の下面との間に圧着固定される他方の屋根板（２５ａ）の一端に連なる斜面部(２６ａ)に連続し、且つ、前記受基枠の平坦面(２３)上に係止させて先端を立ち上がらせて連続して直角に折り曲げて下向きコ字型をした補強端部（２８ａ）の立上壁面（３０ａ）と、前記取付枠（３２）の下部内側に設けた水受凹部（３５）の先端に有した立上部片（３６）との間を広く設けてなることを特徴とする請求項１記載の採光用天窓付屋根装置。    
【請求項４】
前記取付枠（３２）の後部側に配した吹上防止板（４５）の上部に設けた上面片（４６）と、前記取付枠の支持部片（３３）とを重合してジッパー付ガスケット（３８）に取付け、該吹上防止板の略中間部に長手方向に沿って折曲部（４８）を設けて弾力性を具有させると共に、該吹上防止板（４５）の下端部片（４９）を前記屋根板の斜面部（２６、２６ａ）に圧着して取付けてなることを特徴とする請求項１記載の採光用天窓付屋根装置。
【考案の詳細な説明】
【技術分野】
【０００１】
本考案は、大型屋根に設けた改良型の採光用天窓付屋根装置に関するものである。
【背景技術】
【０００２】
従来、体育館や倉庫等の大型建築物の屋根の一部に設けた採光用の天窓に、透明又は半透明の採光板を取付けた天窓付屋根装置は、例えば、図７に示すように、屋根構造材上に一定間隔ごとに立上部２を夫々対向させて対をなす受台４を向かい合わせに取付け、該受台４は、立上部２の上部に設けた係止段部３に連なる立上部２ａの上部に平坦部５を設けてある。
【０００３】
前記受台４の係止段部３に長尺に形成した取付部６に設けた立上壁部８の下端に形成した水受部７を取付ける場合、立上部２ａと立上壁部８とにそれぞれ設けたボルト孔を合致させてボルト、ナット９を挿通して固着する。この立上壁部８の上端は、受台４の上部に設けた平坦部５より上方に突出させ、該立上壁部８の上部に連なる支持枠１０の下面と前記平坦部５との間であって、取付部６の外側に空間部１１を設けてある。さらに、屋根板１３の一端に設けた斜面部１３ａの先端に連続して立ちあがらせて形成した水切部１４を前記空間部１１内に収容し、該水切部１４を前記支持枠１０の下面と前記受台の平坦部５との間に圧入固定して、強風によって吹き込まれる雨水が、空間部１１の内部、即ち、屋根板１１の内側に浸入するのを防止している。
【０００４】
さらに、前記取付部６の支持枠１０の後部下端から斜下方に袖部片１２を設け、該袖部片の下部に、上部をビスまたは溶着などで固着した吹上防止板１６はその中間部に、長手方向に折曲部１７を設けて下端部１６ａに弾力性を付与し、該吹上防止板の下端を前記屋根板１３の斜面部１３ａに当接して風の吹き上げによって該下端部１６ａが持ち上げられて雨水が吹上防止板の内側に浸入し、ついで、前記空間部１１内の水切部１４を通過して内部に浸入するのを防止している。
【特許文献１】特開平９−３２４５０７号公報
【考案の開示】
【考案が解決しようとする課題】
【０００５】
台風などの強風が吹く場合、強風と共に雨水は吹上防止板１６の下端部１６ａを持ち上げ、水切部１４を通過して取付部６の立上壁部８と受台４の立上部２ａとの間を毛細管現象により浸入したり、該水切部を通過した雨水が屋根板１３の裏側に浸入したりして、屋根板内に雨水が浸入するという問題点を有していた。さらに、空間部１１内に前記水切部１４を収容させた後、取付部の支持枠１０の下部に設けた袖部片１２に前記吹上防止板１６の上部を固着させる作業が必要なため、作業能率が悪いという欠点を有していた。
本考案は、採光用天窓を構成する部材数を減少させると共に、屋根板の端部に設けた水切部を屋根の内部に位置させて、強風などの影響を受けないようにして雨漏りを防止することを目的とする。
【課題を解決するための手段】
【０００６】
請求項１の考案は、屋根構造材である梁部材１上に、一定間隔に向かい合わせに取付ける略台形状に形成した受基枠２０、２０の上部に、略クランク状にした長尺な取付枠３２を夫々向かい合わせに取付け、前記受基枠２０の上面と前記取付枠３２の下面との間に、屋根板２５、２５ａの一端に設けた平面板２７、２７ａを圧着固定し、この圧着固定部の屋根内側に位置する前記屋根板の平面板２７、２７ａに連続して設けた補強端部２８、２８ａと前記取付枠３２の一端とをそれぞれ接続し、前記取付枠３２の上部に設けた支持部片３３に取付けたジッパー付ガスケット３８に、網入ガラス板又は合成樹脂板等からなる透明又は半透明の採光板４０を着脱可能に取付け、前記採光板４０の隣接する各端部下面にそれぞれ保護板５０を介して下方から当接させる支持材４１を、前記取付枠３２の上部に夫々両端を固定して取付けた補強部材４３上に設けてなることを特徴とする。また、前記受基枠２０の上面と前記取付枠３２の下面との間に圧着固定される一方の屋根板２５の一端に連なる斜面部２６に連続し、且つ、前記受基枠の平坦面２３上に係止させて先端を立ち上がらせて連続して直角に折り曲げて略Ｃ字型をした補強端部２８の先端側に設けた立上壁面３０と、前記取付枠３２の下部内側に設けた水受凹部３５の先端に有した立上部片３６との間を広く設け、前記補強端部の内側に配した該立上部片３６に、該補強端部の後部側に設けた垂下片２９を係止させてなることを特徴とする。また、前記受基枠２０の上面と前記取付枠３２の下面との間に圧着固定される他方の屋根板２５ａの一端に連なる斜面部２６ａに連続し、且つ、前記受基枠の平坦面２３上に係止させて先端を立ち上がらせて連続して直角に折り曲げて下向きコ字型をした補強端部２８ａの立上壁面３０ａと、前記取付枠３２の下部内側に設けた水受凹部３５の先端に有した立上部片３６との間を広く設けてなることを特徴とする。さらに、前記取付枠３２の後部側に配した吹上防止板４５の上部に設けた上面片４６と、前記取付枠の支持部片３３とを重合してジッパー付ガスケット３８に取付け、該吹上防止板の略中間部に長手方向に沿って折曲部４８を設けて弾力性を具有させると共に、該吹上防止板４５の下端を前記屋根板の斜面部２６、２６ａに圧着させて取付けてなることを特徴とする。したがって、梁部材上に取付けた受基枠の上部に取付枠を取付け、該取付枠と受基枠との間に屋根板の端部を圧着固定し、該屋根板の端部に設けた水切部を屋根の内側に配することにより、強風などの影響を影響を受けないようにして漏水を防止し、且つ、採光板の接合部分の下面に取付ける補強部材の両端を前記取付枠の上部内側に固着したりして部品を減少させることができる。その上、屋根の上から取付作業ができるため櫓を組む必要がないし、採光板の下面に一定間隔で補強部材を取付けたため積雪荷重または衝撃にも強度を有する。
【考案の効果】
【０００７】
本考案は上記の構成であって、取付枠と受基枠との接続部分の外側を、強風と共に雨水が浸入するのを吹込防止版で防止し、また、取付枠の下部と受基枠の上部とで屋根板の端部を密封固定し、毛細管現象を遮断する機構を屋根の内側に設けたことにより、強風などの影響を従来の装置に比べて少なくしたため、漏水事故を確実に防止することが出来る。その上、屋根板の端部を取付枠と受基枠とで挟持して固定するようにして部品を少なくすると共に、採光板の接続部分を水封する保護板を支持する支持板を支える補強部材を前記取付枠に取付ける構成にし、構成を簡略化し作業量を減少させてコストダウンを図ると共に、作業時間を短縮できる利点を有するものである。
【考案を実施するための最良の形態】
【０００８】
本考案に係る実施の形態を図面に基づいて説明する。図１において、屋根構造材である梁部材１は一定間隔を存して多数平行に架設してあり、所定個所の梁部材１上に夫々対をなして内側に内立上面２１を有し、外側に外傾斜面２２を設けると共に、上部に平坦面２３を設けて略台形状に形成した受基枠２０を、前記内立上面２１を向かい合わせにして取付けてある。
【０００９】
一方の受基枠２０の外傾斜面２２上に、折版からなる屋根板２５の一端に設けた斜面部２６に連続して形成した平面板２７の先端を直角に立ち上がらせ、該平坦面に連続して設けた立上部を後部側に連続して直角に折り曲げて、内部に広い空間部を有するように略Ｃ字型をした補強端部２８を平面板２７の上方に設けてある。この補強端部２８の後部側の端部に設けた垂下片２９の下端と平面板２７との間にやや広い開口部３１を設けてある。
【００１０】
他方の受基枠２０の外傾斜面２２上に他の屋根板２５ａの一端に設けた斜面部２６ａに
連続して形成した平面板２７ａの先端を直角に立ち上がらせて形成した立上壁面３０ａに連続して直角に折り曲げて下向きの略コ字型をし、内部に広い空間部を有した補強端部２８ａを該平面板２７ａの前方に形成してある。このように、略Ｃ字型をした補強端部２８と略コ字型を下補強端部２８ａの内部にそれぞれ広い空間部を設け、該補強端部の立上壁面３０、３０ａと、立上部片３６との間を広く設けて毛細管現象を解消するようにしてある。
【００１１】
３２は、クランク状に折り曲げて形成した長尺な取付枠で、上部に設けた水平な支持部片３３に、網入ガラス板または合成樹脂板などからなる透明又は半透明の採光板４０を、ジッパー付ガスケット３８によって着脱可能に連結してある。このジッパー３９はガスケット３８の上面中央に設けた凹入溝３８ａから着脱させることにより採光板４０の着脱を行うものである。
【００１２】
対向させて設けた取付枠３２、３２の下側に設けた立上壁部３４の内側上部に、前記採光板４０の継目を水密に保持する保護板５０を支える支持材４１を保持する角パイプなどの補強部材４３の一方の端部を溶着などにより固着し、さらに、該角補強部材の他端を、向かいあう他の取付枠３２の立上壁部３４の内側上端に溶着などにより固着してある。該立上壁面３４の下部に連続して略コ字形をした水受凹部３５を長手方向に形成してある。
【００１３】
前記補強部材４３上に載置させる前記支持材４１の中央上部には、図４に示すように、中央に設けた中央台部４１ｂの上面に、ゴムなどの柔軟部材からなる保護板５０を設置し、隣接する採光版４０、４０の両端部の下側に位置させて接続部分である各端部を密封している。即ち、この保護板は水密機能を有すると共に、衝撃を吸収したり、物体や雨滴雅称とすする際の騒音や振動をを吸収する機能を有するものである。
【００１４】
４５は、前記取付枠３２の支持部片３３上に平坦な上面片４６を重ねて該立上片３３と共にガスケット３８に取付ける吹上防止板で、この上面片の後部を下方に折り曲げて設けた外側板材４７の略中間部に、長手方向に折曲部４８を設けることにより該吹上防止板の下端部片４９に弾力性を付勢して前記屋根板２５の斜面部２６、２６ａに当接するようにしてある。
【００１５】
尚、長尺な取付枠３２の下部に設けた水受凹部３５と、受基枠２０の平担面２３とは、図示しないが、ボルト、ナット５２により水密に固着してある。
【００１６】
次に、本実施形態の作用について説明すると、受基枠２０の外傾斜面２２に、屋根板２５，２５ａの一端に設けた斜面部２６，２６ａを係止し、該斜面部に連なる平面板２７，２７ａを前記受基枠２０の平坦面２３上に載置させて、一方の平面板２７の上方に設けた略Ｃ字型の補強端部２８を前記平担面２３上に配してある。また、他方の平面板２７ａの先端に設けた下向きに略コ字型をした補強端部２８ａを前記平坦面２３上に載置させてある。ついで、屋根板の平面板２７，２７ａを介在させて受基枠の平坦面２３上に、長尺な取付枠３２の立上壁面３４の下部、即ち、水受凹部３５を載置させて前記屋根板２５の平面板２７、２７ａを上下から挟持してボルト、ナットなどで圧着固定してある。
【００１７】
この場合、図６に示すように、該取付枠３２の水受凹部３５の先端に設けた立上部片３６は、前記補強端部２８の開口部３１より高さを高く形成し、この開口部３１内に挿入する場合は、取付枠３２を傾斜させて該立上部片３６ａを前記開口部３１内に挿入する。ついで、この取付枠３２を直立させれば、該立上部片３６は屋根板の補強端部２８の後部側に設けた垂下片２９に掛止する。即ち、立上部片３６は、補強端部の立上壁面３０との間が広くなるように配し、毛細管現象が解消するようにしてある。そのため、たとえ、取付枠３２の下面と屋根板の平面板２７との間に毛細管現象が生じて雨水が浸入しても、立上部片３６と立上壁面３０との間が広い為に毛細管現象は解消する。
【００１８】
ついで、取付枠３２の水受凹部３５と屋根板の平面板２７，２７ａと受基枠の平坦面２３に設けたボルト穴を合致させてボルト、ナット５２を挿通固定し、取付枠３２の下部に設けた水上凹部３５を受基枠２０の上面に設けた平坦面２３に水密に固着するもので、該取付枠の水受凹部３５と受基枠の平端面２３とで屋根板２５，２５ａの端部に設けた平面板２７、２７ａを挟持して圧着固定する。
【００１９】
向かい合う取付枠の立上壁部３４、３４の上部内側に補強部材４３の両端部を夫々固着し、ついで、取付枠３２の支持部片３３と吹込防止板の上面片４６とを重合させてガスケットの一方側面に設けた係止溝に掛止する。さらに、この上面片４６を有した吹上防止板４５の外側板材４７の中間部に設けた折曲線４８を長手方向に折り曲げて、下端の下端部片４９に弾力性を付勢させて屋根板の斜面部２６，２６ａに当接するようにし、前記取付枠３２と屋根板２５の端部との水密部分の外側を覆って、強風と共に雨水が浸入するのを防止している。
【００２０】
屋根板２５，２５ａの一端に設けた平面板２７，２７ａを、取付枠３２の下部に設けた水受凹部３５と前記受基枠２０の平坦面２３とで圧着し、強風と共に雨水が屋根の内部に浸入するのを防止する。たとえ、毛細管現象により水受凹部の底面と平面板２７，２７ａとの間を通過して屋根の内部に浸入しても、雨水は屋根板の平面板２７，２７ａの先端に設けた略Ｃ字型の補強端部２８や略コ字型をした補強端部２８ａより前方への浸入は防止される。
【００２１】
平面板２７と取付枠の水受凹部３５の先端に位置する立上部片３６との間は、毛細管現象を生じないように広い間隔を設けてあるが、たとえ、屋根の内部に強風と共に雨水の一部が浸入して取付枠３２と屋根板２５の平面板２７に続けて設けた補強端部２８の内部に雨水が浸入し、さらに、開口部３０を通過して立上部片３６を通過しても、該立上部片３６の内側は水受凹部３５であるから、該水受凹部内を長手方向に流れて排出されるため、屋根の内側に雨漏りを起こすことがない。
【００２２】
取付枠３２と受基枠２０とをボルト、ナット５２で締付固着する作業は、屋内側から櫓を組む必要はなく、屋根作業が終了した後、採光板４０の取付作業と一緒に屋根の上方開口部分から作業することができるため作業性が向上する。この取付枠３２は鉄材または鋼材等のアングル材を用いてあるので薄鉄板で形成した枠体より強度を有している。
【００２３】
採光板４０、４０の接合部分または該採光板４０の中間部分の下面には、図５に示すような支持材４１の中央部の上面に、柔軟材からなる保護板５０を介在して取付けてあるため、寒冷地における積雪荷重や地震または台風等による衝撃等を吸収して採光板４０の破壊を防止できる。また、前記採光板４０上に大量の雪が積もって雪の重量が支持材４１に加わっても該支持材の下側に設けた補強部材４３を有するので、積雪荷重に対して十分に耐え、採光板４０の破壊防止し確実に防止できる。
【００２４】
この支持材４１の内部に設けた中央台部４１ｂの両側に夫々水切溝４１ａを設けてあるため、採光板４０、４０の接合部に万一雨漏りが生じても、該雨水は該水切溝４１ａ内に収容されて屋内への漏水を防止する。また、採光板４０の裏面に結露が生じた場合でも、該結露が解けた水は採光板の傾斜に沿って移動して水切溝４１ａ内に流入し、同様にして屋内への漏水を防止する。尚、水切溝４１ａの両端の下方には夫々水上凹部３５，３５を設けてあるので、該水切溝４１ａからの雨水等は水受凹部３５に流入して外部に排出されるものである。
【００２５】
ガスケット３８と採光板４０の接合部分の下方の夫々立上壁部３２の下方には、それぞれ水受凹部３５を設けてあるため、ガスケット３８部分から漏水が生じた場合でも、該水受凹部３５を介して外部に排水できるので、屋内に漏水が生じることはない。
【図面の簡単な説明】
【００２６】
【図１】本考案にかかる屋根装置の一部省略した要部の斜視図である。
【図２】取付枠に補強部材を取付けた状態を示す一部省略した斜視図である。
【図３】採光板の支持部材を示す一部省略した斜視図である。
【図４】採光板の継目部分の要部断面図である。
【図５】天窓の一部破断した平面図である。
【図６】一方の取付枠と受基枠との間に屋根板の端部を取付けた状態を示す要部断面図である。
【図７】従来の屋根装置の一方の受台と取付枠と採光板との取付状態を示す部分説明図である。
【符号の説明】
【００２７】
１    梁部材
２０    受基枠
２３    平坦面
２５    屋根板
２５ａ  屋根板
２６    斜面部
２６ａ  斜面部
２７    平面板
２７ａ  平面板
２８    補強端部
２８ａ  補強端部
２９    垂下片
３０    立上壁面
３０ａ  立上壁面
３２    取付枠
３３    支持部片
３５    水受凹部
３６    立上部片
３８    ジッパー付ガスケット
４０    採光板
４１    支持材
４１ａ  水切溝
４１ｂ  中央台部
４３    補強部材
４５    吹上防止板
４６    上面片
４８    折曲部
５０    保護板
【図１】
0003123775.tif 000003
【図２】
0003123775.tif 000004
【図３】
0003123775.tif 000005
【図４】
0003123775.tif 000006
【図５】
0003123775.tif 000007
【図６】
0003123775.tif 000008
【図７】
0003123775.tif 000009